(57)【要約】【課題】  ハンドオーバ専用の閾値を高く設定して、ハンドオーバ時に最適な無線基地局を選択して通話やデータ通信を継続して行える無線通信装置を提供する。【解決手段】  通話やデータ通信の通信中に、無線基地局からの電波状態が劣化すると、異なる無線基地局からの電波を受信部２３で受信して、受信電界レベル検出手段２５で電波の受信電界レベルを検出し、この検出した検出値とＲＡＭ３１に予め設定されている第１の閾値と比較を行ない、上記検出した検出値が第１の閾値より大きい場合には、当該第１の閾値より大きい電波を送信している無線基地局に対してハンドオーバ要求を行ない、上記検出値が第１の閾値より低い場合には、第１の閾値より低い第２の閾値と比較を行ない、所定の期間内に、受信電界レベルが第２の閾値より高く、かつ受信電界レベルが一番大きい電波を送信している無線基地局に対してハンドオーバ要求を行う無線端末装置としている。【選択図】        図２
2008283332.tif 000002
【特許請求の範囲】
【請求項１】
複数の無線基地局のうち１つの無線基地局を介して通信を行う無線通信機であって、
通信中に、通信を行っている無線基地局からの電波状態が劣化すると、通信を行っている無線基地局とは異なる複数の無線基地局からの電波を受信して、当該電波の受信電界レベルを検出して、予め設定されている第１の閾値と比較を行ない、検出した受信電界レベルが第１の閾値より高い場合には、当該第１の閾値より高い電波を送信している無線基地局に対してハンドオーバ要求を行ない、検出した受信電界レベルが第１の閾値より低い場合には、当該受信電界レベルを第１の閾値より低い第２の閾値と比較を行ない、所定の期間内に受信電界レベルが第２の閾値より高く、かつ受信電界レベルが一番高い電波を送信している無線基地局に対してハンドオーバ要求を行うことを特徴とする無線通信機。
【発明の詳細な説明】
【技術分野】
【０００１】
本発明は、ＰＨＳ（Personal Handyphone System）等の通信システムで使用される無線通信機に関し、特に、最適な無線基地局を選択してハンドオーバを行う無線通信機に関する。
【背景技術】
【０００２】
ハンドオーバとは、無線通信機が通信中にエリア間を移動する場合、旧エリアの無線基地局との通信を新たなエリアの接続先無線基地局との通信に切り替えて通話やデータ通知以等の通信を継続することである。
このハンドオーバを行う際の新たなエリアの接続先無線基地局の選択は、無線基地局からの電波の受信電界レベルの検出を一回行い、受信電界レベルが予め無線通信機（例えば、ＰＨＳ端末本体）に設定された閾値より高いか否かの判定を行い、設定された閾値より高い場合には、その無線基地局との接続処理を行っていた。
【０００３】
このような接続処理では、受信した電波の受信電界レベルが予め設定された閾値より高い電波を送信している無線基地局を検出すると接続されるため、他に多数の無線基地局からの電波の無線通信機が受信できるエリアにおいては、接続を行った無線基地局より更に受信電界レベルが高い無線基地局が存在していても接続することができず、必ずしも最適な無線基地局を選択できているとは限らなかった。
【０００４】
また、新たな接続先無線基地局からの電波がフェージング等により、瞬間的にたまたま受信電界レベルが閾値より高かった無線基地局を選択してしまうと、結果的にハンドオーバに失敗をしてしまうことがあった。
【０００５】
さらに、無線通信装置がハンドオーバを行う際に、無線基地局を選択するための閾値は、位置登録処理とハンドオーバ処理で共通の閾値を用いていたため、ハンドオーバの成功率を高めるために、閾値を高く設定してしまうと、無線エリアが小さくなったようになってしまい、位置登録処理で受信電界レベルが閾値より高い無線基地局を見つけられず、位置登録処理ができないという可能性があった。
【０００６】
また、特許文献１には、無線基地局に対する接続時間あるいは切替時間を短縮して通信品質を向上させるために、非通信期間において、周辺無線基地局のＲＳＳＩ（受信電界強度）を検出してこの検索情報を予めメモリに記憶し、通信中に通信相手の無線基地局のＲＳＳＩを検出して、このＲＳＳＩ検出値が第１の閾値より低下すると、非通信期間に予めメモリに記憶しておいた検索情報と第２の閾値と比較して、第２の閾値以上の無線基地局を選択して、この無線基地局をハンドオーバ先として決定することが記載されている。
【０００７】
【特許文献１】特開２００１−９５０２８号公報
【発明の開示】
【発明が解決しようとする課題】
【０００８】
上述の従来技術では、ハンドオーバ時に最適でない無線基地局を選択することにより、通話やデータ通信が切断してしまうと問題点があった。
本発明は、このような従来の事情に鑑み為されたもので、ハンドオーバ専用の閾値を高く設定して、ハンドオーバ時に最適な無線基地局を選択して通話やデータ通信を継続して行える無線通信装置を提供することにある。
【課題を解決するための手段】
【０００９】
上記目的を達成するために、本発明による無線通信装置では、次のような構成により、ハンドオーバ時の無線基地局の選択を行う。
通話やデータ通信の通信中に、通信を行っている無線基地局からの電波の状態が劣化すると、通信を行っている無線基地局とは異なる複数の無線基地局からの電波を受信して、当該電波の受信電界レベルを検出して、予め設定されている第１の閾値と比較を行ない、検出した受信電界レベルが第１の閾値より高い場合には、当該第１の閾値より高い電波を送信している無線基地局に対してハンドオーバ要求を行う。
また、検出した受信電界レベルが第１の閾値より低い場合には、当該受信電界レベルを第１の閾値より低い第２の閾値と比較を行ない、所定の期間内に受信電界レベルが第２の閾値より高く、かつ受信電界レベルが一番高い電波を送信している無線基地局に対してハンドオーバ要求を行う。
【００１０】
上記第１の閾値は、データの通信中又は通話中に、電波の受信電界レベルが予め定めている所定のレベルより低下した時に、ハンドオーバを実行するために無線基地局の選択処理時にのみ用いられる閾値であり、後述する第２の閾値より大きい値が設定される。
また、上記第２の閾値は、例えば、電源を入れた時に位置登録をする際に用いられると共に、ハンドオーバ時の無線基地局選択処理にも用いられ、上述の第１の閾値より低い値が設定される。
【００１１】
上述の無線基地局からの電波の状態を、例えば、電波の受信電界レベルを測定して、所定の受信レベルとの比較により検出を行う構成や、また、この受信電界レベルの測定に変えて、通信中のデータのビットエラーレートやフレームエラーレート等のエラーレートの測定を行い、このエラーレートが所定のレベルとの比較により検出する等の構成により、把握する。
【００１２】
また、本発明の無線通信装置は、無線基地局との通信を行う通信手段と、電波状態の劣化を検出する受信状態検出手段と、無線基地局からの電波の受信電界レベルを検出する受信電界レベル検出手段と、基地局選択処理に使用する第１の閾値と、当該第１の閾値より低い第２の閾値とを記憶する記憶手段と、受信電界レベル検出手段の検出結果と予め記憶されている第１の閾値又は第２の閾値との比較により、無線基地局の選択処理を行う制御手段とを有し、この制御手段は、通信中に、検出手段により電波状態の劣化が検出されると、受信電界レベル検出手段により検出した検出値と予め記憶されている第１の閾値と比較を行い、第１の閾値より高い場合には、この第１の閾値より高い電波を送信している無線基地局に対してハンドオーバ要求を行う。
また、受信電界レベル検出手段で検出した検出値が第１の閾値より低い場合には、当該受信電界レベル検出手段で検出した検出値と第２の閾値との比較を行い、所定期間内で、第２の閾値より高く、かつ、一番受信レベルが高い電波を送信している無線基地局に対してハンドオーバ要求を行う。
【００１３】
上記受信状態検出手段は、受信した電波レベルが予め設定されている閾値より下がったことや受信したデータのエラーレート（ビットエラーレートやフレームエラーレート等）が一定のレベルを超えたことにより、電波状態の劣化を検出するものである。
【発明の効果】
【００１４】
本発明によれば、ハンドオーバ時の無線基地局選択処理用の第１の閾値を設け、この第１の閾値と無線基地局が送信する電波の受信電界レベルとを比較して、無線基地局を選択することにより、ハンドオーバ時の無線基地局の選択をより確実なものとし、また、受信電界レベルが第１の閾値より高い無線基地局が存在しないときには、所定期間内で、第２の閾値より高く、かつ、受信電界レベルが一番高い無線基地局にハンドオーバ要求を行うので、ハンドオーバ処理の失敗を低減することができる。
【発明を実施するための最良の形態】
【００１５】
本発明をＰＨＳを利用した通信システムについて、図１を用いて説明する。図１は、ＰＨＳを利用した通信システムの概略構成を示すブロック図である。
図７に示すように、ＰＨＳを利用した通信システムは、工場や事業所等に用いられるものであり、複数のＰＨＳ端末（無線通信端末）１０ａ〜１０ｄと、データ端末１１と、複数の無線基地局１２ａ〜１２ｎと、主制御装置１３と、ＰＨＳ位置表示端末１４と、固定電話機１５と、構内交換機（ＰＢＸ）１６と、ＬＡＮ（Local Area Network）１７と、サーバ１８とを備えている。
【００１６】
ＰＨＳ端末１０ａ〜１０ｄは、利用者が携帯して通話やデータ通信を行うものである。
データ端末１１は、各種データを管理するものであり、データを入力、記憶、利用者の操作によってデータを表示するものであって、また、ＰＨＳ端末１０ｄに接続されて管理データ等を無線により送受信を行うものである。
無線基地局１２ａ〜１２ｎは、ＰＨＳ端末１０ａ〜１０ｄと主制御装置１３との間の中継器であり、ＰＨＳ端末１２ａ〜１２ｎと無線通信を行うものであって、各無線基地局１２ａ〜１２ｎはそれぞれ固有の無線基地局ＩＤを記憶しているものである。
また、無線基地局１２ａ〜１２ｎの通信エリアはそれぞれ半径１００〜５００メートルのセルが形成される。
【００１７】
主制御装置１３は、システム内の通話やデータ通信の制御を行うものであり、主制御装置１３は、固有のシステムＩＤを記憶しており、主制御装置１３が複数存在する通信システムでは、この固有のＩＤでシステム毎の管理を行えるようにしている。
ＰＨＳ位置表示端末１４は、主制御装置１３が管理している複数のＰＨＳ端末１０ａ〜１０ｄの位置データに基づいて、各ＰＨＳ端末１０ａ〜１０ｄの現在の位置を表示するものである。
【００１８】
固定電話１５は、主制御装置１３に有線で接続され、固定電話１５同士や、ＰＨＳ端末１０ａ〜１０ｄや内線端末等との通話を行うものである。
ＰＢＸ１６は、ＰＢＸ１６に接続されている複数の内線端末（図示せず）の回線制御を行い、主制御装置１３を介して、ＰＨＳ端末１０ａ〜１０ｄ、固定電話１５、内線端末等との通信を実現するためのものである。
サーバ１８は、ＬＡＮ１７を介して主制御装置１３に接続され、各種データを管理して、ＰＨＳ端末等に各種データを提供する。
【００１９】
上記通信システムにおいて、ＰＨＳ端末１０ａ〜１０ｄは、無線基地局１２ａ〜１２ｎに対してハンドオーバ要求を行って、この複数の無線基地局１２ａ〜１２ｎの通信エリアを移動しながら通話やデータ通信を継続するものである。
【００２０】
次に、本発明の実施の形態に係る無線通信装置を、ＰＨＳ端末を例にして、図２を用いて説明する。図２は、本発明の実施の形態に係る無線通信装置（ＰＨＳ端末）の構成を示すブロック図である。
本発明のＰＨＳ端末は、図１に示した通信システムにおいて用いられる無線通信端末であって、複数の無線基地局のうちのいずれか１つの無線基地局を介して主制御装置と通信を行って、他の無線通信端末や固定電話等と通話やデータ通信を行うものである。
なお、上記ＰＨＳ端末１０ａ〜１０ｄと無線基地局１２ａ〜１２ｎとの間の通信方式としては、時分割多元接続方式（ＴＤＭＡ：Time Division Multiple Access）を用い、伝送方式としては、時分割双方向多重方式（ＴＤＤ：Time Division Duplex）を用いている。
【００２１】
ＰＨＳ端末１０ａ〜１０ｄの各構成部分について説明する。
ＰＨＳ端末１０ａ〜１０ｄは、アンテナ２１と、ＳＷ２２と、受信部２３と、送信部２４と、受信電界レベル検出部２５と、受話部２６と、送話部２７と、操作部２８と、報知部２９と、表示部３０と、ＲＡＭ（Random Access Memory）３１と、ＲＯＭ（Read Only Memory）３２と、タイマ３３と、制御部３４と、制御部３４の受信電界レベル比較手段３５とを備えている。  
【００２２】
基地局１２ａ〜１２ｎからの電波は、アンテナ２１で及び送受信を切り替えるための高周波スイッチ（ＳＷ）２２を介して受信部２３に入力される。
受信部２３は、基地局１２ａ〜１２ｎからの電波をアンテナ及ＳＷ２２を介して受信し、受信電界レベル検出部２５へ出力すると共に制御部３４へ出力するものである。
送信部は、音声信号やデータ信号に所定の処理を施し、ＳＷ２２及びアンテナ２１を介して電波で無線基地局に送信するものである。
【００２３】
受信電界レベル検出部２５は、受信部で受信した電波の受信電界レベルを検出し、この検出した検出値を制御部３４へ出力するものである。この検出値を用いて、ハンドオーバ時の無線基地局の選択処理が行われる。
受話部２６は、スピーカ等で構成され、入力された電気信号を音声信号に変換して出力するものである。
送話部２７は、マイク等で構成され、入力された音声信号を電気信号に変換して出力するものである。
【００２４】
操作部２８は、「０」〜「９」「＊」「＃」を含むダイヤルキーや操作を制御するための十字キー等を備え、電話番号や操作制御の指示を入力するものである。
報知部２９は、着信やスケジュール等をメロディー等の音による聴覚やバイブレータの振動等で知らせるものである。
表示部３０は、液晶ディスプレイ等で構成され、受信したデータを表示し、操作部の操作に従ってデータを表示し、また、受信電界レベル検出部２５が検出した検出値に基づいて受信レベルの表示等を行うものである。
【００２５】
ＲＡＭ３１は、受信したデータ、操作部２８から入力されたデータ等を記憶しておくものである。また、ＲＡＭ３１には、受信電界レベル検出部２５で検出された受信電界レベル検出値やこの受信電界レベル検出値の電波を送信した無線基地局の基地局ＩＤとを対応付けて記憶し、ハンドオーバ要求時に使用する。
ＲＯＭ３２は、後述するハンドオーバの際の無線基地局選択処理やハンドオーバ処理等の処理プログラム、無線基地局選択処理に用いる第１の閾値や第２の閾値等を記憶しておくものである。この第２の閾値は位置登録及びハンドオーバに用いられる閾値であり（以下、第２の閾値とする）、第１の閾値は上記第２の閾値より高い値に設定されるハンドオーバ専用の閾値（以下、第１の閾値とする）である。
上記ＲＡＭ３１及びＲＯＭ３２により、記憶部を構成している。
【００２６】
タイマ３３は、所定の時間を計測するものである。
制御部３４は、各部を制御すると共に、ＲＯＭ３２に記憶された処理プログラムに従って動作するものであり、例えば、上記ハンドオーバの際の無線基地局選択処理やハンドオーバ処理等を行うものである。
制御部３４に備えられる受信電界レベル比較手段３５は、上記受信電界レベル検出部が出力する検出値と上記ＲＯＭ３２に予め設定されている第１の閾値や第２の閾値との比較を行うものである。
【００２７】
次に、ＰＨＳ端末を用いた通信システムのハンドオーバのシーケンスについて、図３を用いて説明する。図３は、ＰＨＳ端末を用いた通信システムのハンドオーバのシーケンスを説明する図である。
図３において、ＰＨＳ端末は、無線基地局１及び制御装置を介してＰＨＳ端末や固定電話（図３では固定電話と通話を行っている）と通話中に、無線基地局１からの電波の劣化を検出すると、無線基地局選択処理へ移行する。
【００２８】
この無線基地局選択処理では、まず、通話を行うために通信を行っている無線基地局以外に通信が行える無線基地局を捜索し、例えば、図３の場合には、通信を行っている無線基地局１以外の無線基地局２及び３からの電波を受信する。
そして、無線基地局２及び３からの電波を受信して、受信電界レベルの検出を行い、この検出した受信電界レベルから最適な無線基地局を選択する処理を行う。
【００２９】
上記最適な無線基地局選択処理が行われると、次にＰＨＳ端末は、選択した最適な無線基地局に対して、ハンドオーバ要求処理へ移行する。
このハンドオーバ要求処理では、選択した無線基地局（図３では、無線基地局２）に対して、ＰＨＳ端末は、ハンドオーバ要求を行う（Ｓ１）。  
無線基地局２は、ハンドオーバ要求を受信すると、主制御装置に送信する（Ｓ２）。
主制御装置は、ハンドオーバ要求を受信すると、乱数等を用いた認証演算処理を行って、ＰＨＳ端末宛てに呼設定受付（Ｓ３）及び認証要求（Ｓ４）を無線基地局２へ出力する。
【００３０】
無線基地局２は、呼設定受付（Ｓ３）及び認証要求（Ｓ４）を受信すると、ＰＨＳ端末へ受信した呼設定受付（Ｓ５）及び認証要求（Ｓ６）を送信する。
ＰＨＳ端末は、無線基地局２を介して主制御装置からの呼設定受付（Ｓ５）及び認証要求（Ｓ６）を受信すると、乱数等を用いた認証演算処理を行って、演算結果を含む認証応答を送信する（Ｓ７）。
【００３１】
主制御装置は、無線基地局２を介して受信した認証応答（Ｓ８）を受信すると、認証演算結果の照合を行い、認証演算結果がＯＫであれば、これ以降ＰＨＳ端末からの通話を無線基地局２を介して通話を継続するものである。このようにして、ＰＨＳ端末では、無線基地局選択処理及びハンドオーバ要求処理により、ハンドオーバ処理が行われて、通話やデータ通信が継続される。
【００３２】
本発明のＰＨＳ端末の特徴であるハンドオーバ時の無線基地局の選択処理を図４を用いて詳細に説明する。図４は、本発明のＰＨＳ端末のハンドオーバ時の無線基地局選択処理を説明するフォローチャート図である。
ＰＨＳ端末で、通話やデータ通信等の通信中に、無線基地局からの電波の劣化を検出すると、制御部３４は、タイマ３３を起動させ、所定時間の計測を開始する（ステップ４０１）。
上記無線基地局からの電波の劣化の検出は、例えば、受信電界レベル検出部の検出値が所定レベルより低下したこと、また、受信したデータのエラーレート（ビットエラーレートやフレームエラーレート等）が一定のレベルを超えたことにより、電波状態の劣化を検出するものである。
【００３３】
そして、通信を行っている無線基地局とは異なる無線基地局をサーチし、異なる無線基地局からの電波を受信する（ステップ４０２）。ここで電波には、主制御装置のＣＳ−ＩＤや無線基地局の基地局ＩＤ等のデータが含まれている。
ＰＨＳ端末では、受信したデータの主制御装置のＣＳ−ＩＤと本ＰＨＳ端末が記憶しているＣＳ−ＩＤとの比較を行い、自己の属しているシステム内であるかを判断する（ステップ４０３）。この判断の結果、ＣＳ−ＩＤが一致している場合には、受信電界レベル比較手段３５が、受信電界レベル検出部２５で検出された受信したデータの受信レベルを検出値と、予めＲＯＭ３２に設定されている、位置登録及びハンドオーバに用いられる第２の閾値（第２の閾値）より高い値に設定されるハンドオーバ専用の第１の閾値（第１の閾値）との比較を行う（ステップ４０４）。
【００３４】
ステップ４０４に比較の結果、受信電界レベル検出値が第１の閾値より高い場合には、タイマ３３の動作を停止し（ステップ４０５）、受信したデータに含まれる基地局ＩＤを用いて、第１の閾値より高い電波を送信している無線基地局を最適な無線基地局として、ハンドオーバ要求を送信し（ステップ４０６）、無線基地局選択処理を終了して、ハンドオーバ処理へ移行する。
【００３５】
また、上記ステップ４０４で、受信電界レベル検出値が第１の閾値より低い場合には、次に、受信電界レベル比較手段３５が、受信電界レベル検出値と位置登録やハンドオーバ処理で用いられる第２の閾値との比較を行う（ステップ４０８）。比較の結果、受信電界レベル検出値が第２の閾値より高い場合には、ＲＡＭ３１に保存されている受信電界レベルとの比較を行い（ステップ４０９）、受信電界レベル検出値の方が高い場合には、受信電界レベル検出値とこの受信電界レベル検出値のデータを送信した基地局の基地局ＩＤを対応付けてＲＡＭ３１に上書き保存を行う（ステップ４１０）。
なお、上記ステップ４０９で、保存データが存在しない場合は、比較対照がないので、そのまま、受信電界レベル検出値とこの受信電界レベル検出値のデータを送信した基地局の基地局ＩＤを対応付けてＲＡＭ３１に保存を行う。
【００３６】
上記ステップ４１０で受信データを保存した後には、タイマ３３の計測値がタイムアウトしているか否かを判断する（ステップ４１１）。この判断の結果、タイムアウトしている場合には、ＲＡＭ３１に受信電界レベル検出値とこの受信電界レベル検出値のデータを送信した基地局の基地局ＩＤの保存データがあるか否かの確認が行われる（ステップ４１２）。この確認により、保存データがある場合には、保存されているデータの受信電界レベル検出値が、第２の閾値より高く、かつ、受信した無線基地局からの電波状態が一番高いため、この無線基地局を最適な基地局と判断して、上記受信電界レベル検出値に対応して記憶されている基地局ＩＤを用いてハンドオーバ要求を送信し（ステップ４０６）、無線基地局選択処理を終了する。
【００３７】
上記ステップ４０８で、受信電界レベル検出値と第２の閾値との比較の結果、受信電界レベルが第２の閾値より低い場合には、受信したデータを破棄して（ステップ４０７）、ステップ４１１のタイムアウトか否かの判断が行われる。
また、上記ステップ４０９で、第２の閾値より高い受信電界レベル検出値が保存データの受信電界レベルより低い場合には、保存データの方が最適な無線基地局のデータであるため、受信したデータを破棄して（ステップ４０７）、ステップ４１１のタイムアウトか否かの判断が行われる。
【００３８】
上記ステップ４１１で、タイムアウトしていない場合には、他の無線基地局からの電波を受信して、ステップ４０２〜ステップ４１２の動作が、第１の閾値より高い受信電界レベルが検出されるまで、あるいは、タイムアウトするまで、繰り返し行われる。
なお、上記ステップ４０３で、受信したデータのＣＳ−ＩＤが、自己が記憶しているＣＳ−ＩＤと一致しなかった場合には、ＰＨＳ端末自身が通信を行えるシステムとは異なるシステムであると判断して受信したデータを破棄し（ステップ４０７）、タイムアウトしていない場合には、他の無線基地局が存在するか確認を行って、他の無線基地局が存在する場合には、この無線基地局からのデータを受信して、ステップ４０３〜ステップ４１２の動作を繰り返す。
【００３９】
ただし、上記ステップ４１１のタイムアウトするまでに、ステップ４０３でＣＳ−ＩＤが一致する受信データを検出できない場合や、第１の閾値より高い受信電界レベルを検出できず、かつ、第２の閾値より高い受信電界レベルを検出できない場合（ステップ４１２で保存データが無い場合）には、ハンドオーバを要求する無線基地局が存在しないため、無線基地局選択処理を終了する。この際に、ハンドオーバする無線基地局が存在しないことを、ＰＨＳ端末を携帯するユーザに対して、通知するようにすれば、更に使い勝手が向上する。ユーザに対する通知としては、報知部２９による、音による聴覚での通知やバイブレータの振動による通知、また、表示部による視覚による通知等が考えられる。なお、表示部にでは、通話やデータ通信等の通信が継続できないので、受信レベルは、例えば、「圏外」との表示に切り替わる。
【００４０】
なお、ハンドオーバ要求を行い、ハンドオーバが成功すると、上記ＲＡＭ３１に保存しているデータは、不必要なデータとなるため、この保存データを削除して、次回のハンドオーバ時の無線基地局選択の処理に備える。
【００４１】
以上説明したように、本発明のＰＨＳ端末では、ハンドオーバ時に、第１の閾値と第２の閾値とを用いて、無線基地局の選択処理を行うので、多数の無線基地局と通信が行えるエリアでは、この多数の無線基地局の中から最適な無線基地局を選択することが可能となるので、ハンドオーバの失敗を低減することができる。
【産業上の利用可能性】
【００４２】
本発明は、ＰＨＳ端末に適するものであるが、ハンドオーバ時の最適な無線基地局の選択に関するものであるため、他の通信方式に使用する無線通信機にも適用することができる。
【図面の簡単な説明】
【００４３】
【図１】ＰＨＳを利用した通信システムの概略構成を示すブロック図である。
【図２】本発明の実施形態に係るＰＨＳ端末の構成ブロック図である。
【図３】本発明のハンドオーバ時の接続シーケンスを示す説明図である。
【図４】本発明のＰＨＳ端末におけるハンドオーバ時の無線基地局の選択処理を示すフローチャート図である。
【符号の説明】
【００４４】
１０ａ〜１０ｄ・・・ＰＨＳ端末、１１・・・データ端末、１２ａ〜１２ｎ・・・無線基地局、１３・・・主制御装置、１４・・・ＰＨＳ位置表示装置、１５・・・固定電話機、１６・・・ＰＢＸ、１７・・・ＬＡＮ、１８・・・サーバ、２１・・・アンテナ、２２・・・高周波スイッチ（ＳＷ）、２３・・・受信部、２４・・・送信部、２５・・・受信電界レベル検出部、２６・・受話部、２７・・・送話部、２８・・・操作部、２９・・・報知部、３０、表示部、３１・・・ＲＡＭ、３２・・・ＲＯＭ、３３・・・タイマ、３４・・・制御部、３５・・・受信電界レベル比較手段
【図１】
2008283332.tif 000003
【図２】
2008283332.tif 000004
【図３】
2008283332.tif 000005
【図４】
2008283332.tif 000006